(57)【特許請求の範囲】
【請求項１】
軒裏天井を取り付けるための軒天差込部と軒裏空間部への換気を可能とする換気用開口部とを有する軒天換気見切金物の外側に取り付けるカバープレートであって、
当該カバープレートは、換気用開口部を有するとともに、カバープレートの内面側に熱膨張材を備え、
前記熱膨張材が軒天換気見切金物の換気用開口部以外の金属部分に対面するように設けられていることを特徴とする軒天換気見切金物用カバープレート。
【請求項２】
前記熱膨張材が軒天換気見切金物の換気用開口部に対面するように設けられていることを特徴とする請求項１に記載の軒天換気見切金物用カバープレート。
【請求項３】
前記カバープレートが軒天換気見切金物に支持されていることを特徴とする請求項１又は２記載の軒天換気見切金物用カバープレート。
【請求項４】
前記カバープレートを軒天換気見切金物に支持するための支持部材を備えることを特徴とする請求項１から３のいずれかに記載の軒天換気見切金物用カバープレート。
【請求項５】
軒裏天井を取り付けるための軒天差込部と軒裏空間部への換気を可能とする換気用開口部を有する軒天換気見切金物と、前記金物の外側へ取り付けるとともにその内面側に前記換気用開口部以外の金属部分に対面するように設けられた熱膨張材を備えるカバープレートとからなることを特徴とする軒天換気見切金物構造体。
【請求項６】
換気用開口部を有する軒天換気見切金物用カバープレートの内面側に前記換気用開口部以外の金属部分に対面するように設けられた熱膨張材を備え、前記カバープレートが軒天換気見切金物の換気用開口部を覆うように施工されていることを特徴とする軒天換気構造。
【発明の詳細な説明】
【技術分野】
【０００１】
本願発明は、建物における屋根の軒先端と建物外壁との間やバルコニーの裏の空所部分などに天井板を取り付ける軒裏天井（軒天）の換気見切り金物用防火カバープレート及び、その構造体、換気構造に関するものである。
【背景技術】
【０００２】
従来、軒裏天井の換気見切り金物（軒天換気見切金物）としては、例えば図９に示す特許文献１のものが公知である。換気構造に使用される換気見切り金物１は、天井板７の端部を差し込めるように断面略コ字状の挿入凹部３が設けられている。また、換気見切り金物１には、軒裏空間部へ通気可能なように多数のスリットを形成した換気穴６０が設けられ、換気穴６０及び換気用通気路４を通して屋外と軒裏空間部（小屋裏）との通気が可能となっている。
そして、上記通気見切り金物１には、換気穴６０近くに熱により燃焼することなく膨張する熱膨張材９を設け、火災時に熱風により膨張して換気用通気路４を塞ぐため、屋外から換気穴６０を通して火炎や火の粉が侵入しないように構成している。
【０００３】
しかしながら、火災の時間が長い場合には、換気見切り金物や軒天板を通して熱が小屋裏に伝播して温度が上昇し、小屋裏の温度が上昇し、屋内に延焼、最終的には全焼に至る可能性が高まる。
このような場合を想定し、例えば、図１０に示す特許文献２のように、換気見切り金物１の複数箇所に熱膨張材６，７，９を配置する方法が知られている。
しかし、この方法は、新規に施工する場合には効果があるが、既に施工された換気見切り金物の防火性能を向上させようとする場合は、既設の換気見切り金物を撤去し、交換しなくてはならないという難点があった。
【０００４】
なお、軒天換気見切金物の外側へ後付けするカバー部材としては、図１１に示す特許文献３のカバー７が存在する。しかし、このカバー７は、ビス頭及び軒裏板と下地材間の段部を遮蔽したり、見切材同士のずれを防止し、軒裏の外観を美しくすることが目的である（同明細書「００２１」）。
【０００５】
【特許文献１】特開２００３−２３９４２２号公報
【特許文献２】特開２００３−０２７６５２号公報
【特許文献３】特開平０９−１７７２３２号公報
【発明の開示】
【発明が解決しようとする課題】
【０００６】
このような従来の軒天換気見切金物に対して、本願発明は、簡単な補助部材を使用して、施工が簡単であり、かつ通気性が高く、防火性も高い新たな軒天換気見切金物の提供を目的とするものである。
【課題を解決するための手段】
【０００７】
上記目的を達成するために、第１の発明は、軒裏天井を取り付けるための軒天差込部と軒裏空間部への換気を可能とする換気用開口部とを有する軒天換気見切金物の外側に取り付けるカバープレートであって、当該カバープレートは、換気用開口部を有するとともに、カバープレートの内面側に熱膨張材を備えることを特徴とする軒天換気見切金物用カバープレートである。
第２の発明は、前記熱膨張材が軒天換気見切金物の換気用開口部に対面するように設けられていることを特徴とする同軒天換気見切金物用カバープレートである。
第３の発明は、前記熱膨張材が軒天換気見切金物の換気用開口部以外の金属部分に対面するように設けられていることを特徴とする同軒天換気見切金物用カバープレートである。
第４の発明は、前記カバープレートが軒天換気見切金物に支持されていることを特徴とする同軒天換気見切金物用カバープレートである。
第５の発明は、前記カバープレートを軒天換気見切金物に支持するための支持部材を備えることを特徴とする同軒天換気見切金物用カバープレートである。
第６の発明は、軒裏天井を取り付けるための軒天差込部と軒裏空間部への換気を可能とする換気用開口部を有する軒天換気見切金物と、前記金物の外側へ取り付けるとともにその内面側に熱膨張材を備えるカバープレートとからなることを特徴とする軒天換気見切金物構造体である。
第７の発明は、換気用開口部を有する軒天換気見切金物用カバープレートの内面側に熱膨張材を備え、前記カバープレートが軒天換気見切金物の換気用開口部を覆うように施工されていることを特徴とする軒天換気構造である。
【発明の効果】
【０００８】
上記する本願発明によれば、以下のような効果を有する。
（１）軒天換気見切金物の外側へ取り付けるための、換気用開口部を有するカバープレートとすることで、軒天換気見切金物自体を取り外すことなく簡単に施工することができる。
（２）熱膨張材が軒天換気見切金物の換気用開口部に対面するように設けられていることで、軒天換気見切金物の換気用開口部をその内側と外側の両面から塞ぐことができるため、炎や熱等を遮断する効果が高い。
（３）熱膨張材が軒天換気見切金物の換気用開口部以外の金属部分に対面するように設けられていることで、軒天換気見切金物の換気用開口部以外の金属部分を通して伝わる熱を断熱することができる。
（４）カバープレートが軒天換気見切金物に支持されることで、外壁や軒天を損傷することなくカバープレートを取り付けることができる。
（５）カバープレートを軒天換気見切金物に支持するための支持部材を備えることで、その構造上ビス止め等の施工工事を必要とせずに、簡単にカバープレートを取り付けることができる。
（６）軒裏天井を取り付けるための軒天差込部と軒裏空間部への換気を可能とする換気用開口部を有する軒天換気見切金物と、前記金物の外側へ取り付けるとともにその内面側に熱膨張材を備えるカバープレートとからなる軒天換気見切金物構造とすることで、軒天換気見切金物の防火性能を簡単に向上させることができる。
（７）換気用開口部を有する軒天換気見切金物用カバープレートの内面側に熱膨張材を備え、前記カバープレートが軒天換気見切金物の換気用開口部を覆うように施工されている軒天換気構造とすることで、防火性能を向上させた換気構造を簡単に得ることができる。
【発明を実施するための最良の形態】
【０００９】
本願発明の実施形態を図面に基づいて説明する。
図１及び図２は、本願発明の第１実施形態を示す説明図である。
まず、図１に軒天換気見切金物２０を示す。軒天換気見切金物２０は、軒裏天井１０を取り付けるための軒天差込部２１と軒裏空間部への換気を可能とする換気用開口部２５とを有する。
そして、この軒天換気見切金物２０には、断面略コ字形の支持部材３０，３０が取り付けられる。支持部材３０は、一対の起立部３１，３５を備える。起立部３１の中央先端には内側へ略９０度折曲した第１爪片３２を備えるとともに、同左右先端は中央先端より低くなっており突起片３３，３３を形成する。また、起立部３５の左右先端には内側へ略９０度折曲した第２爪片３６，３６，３６，３６を、同中央先端には外側へＬ字形に折曲した係止片３７を備える。この第１爪片３２を軒天換気見切金物２０の軒天差込部２１に形成される角部分２２に引っ掛けるとともに、第２爪片３６をスリット状に形成された換気用開口部２５へ差し込むことで、支持部材３０を軒天換気見切金物２０に取り付ける。
また、換気用開口部２５に対面する軒天換気見切金物２０の内側には、熱膨張材５０が取り付けられる。
【００１０】
次に、図２に軒天換気見切金物２０の外側に取り付ける（金属製の）カバープレート４０を示す。
当該カバープレート４０は、底部４１に段差４２を設けて換気用開口部４３を有する。この段差４２は、下方からこのカバープレート４０を見た場合、換気用開口部４３を隠す作用を有する。また、カバープレート４０の長手方向両端には一対の側面部４４，４７を備える。一方の側面部４４は先端４５が折曲し略レ字形に形成されているとともに、その内側に熱膨張材５０を取り付ける。また、他方の側面部４７は先端４８を１８０度内側へ折り返して段差を形成する。
そして、このカバープレート４０は、支持部材３０の取り付けられた軒天換気見切金物２０に取り付けられる。
【００１１】
図３は、カバープレート４０の取付状態を示す断面図である。図示するように、カバープレート４０は、側面部４７の段差の部分が支持部材３０の突起片３３に引っ掛かるとともに、側面部４４の先端４５の部分が支持部材３０の係止片３７に引っ掛かることで、軒天換気見切金物２０に取り付けられる。従って、カバープレート４０は、支持部材３０に支持されるようにして軒天換気見切金物２０に取り付けられる。なお、支持部材３０による支持は突起片３３や係止片３７の引っ掛かりによるものなので、カバープレート４０を軒天換気見切金物２０の長手方向へスライドさせることが可能で、軒天換気見切金物２０へ取り付けたカバープレート４０の位置調整を可能とする。また、熱膨張材５０，５０が軒天換気見切金物２０の換気用開口部２５に対面するように設けられていることで、軒天換気見切金物２０の換気用開口部２５をその内側と外側の両面から塞ぐことができるため、炎や熱等を遮断する効果が高くなる。
【００１２】
図４は、本願発明の第２実施形態を示す説明図である。第２実施形態では、特に、ワンタッチで施工が簡単であり、且つスペースをとらないカバープレートを提供する。
ここで、軒天換気見切金物２０については、第１実施形態のものと同一なので、その説明を省略する。
軒天換気見切金物２０の外側に取り付ける（金属製の）カバープレート６０は、断面略Ｌ字形の長尺部材であり、底部６１に換気用開口部６２を備える。また、カバープレート６０を軒天換気見切金物２０へ取り付けるための支持部材７０を備える。支持部材７０は、カバープレート６０内にあって、カバープレート６０の側面部６３と平行する基部７１とその基部７１の左右両端から垂直方向に延びる係合部７２，７２を備える。係合部７２には、軒天換気見切金物２０のスリット状に形成された換気用開口部２５に係合する略Ｌ字形の係合溝７３を有する。また、支持部材７０は、この係合部７２，７２を軒天換気見切金物２０へ付勢するバネ片７５を基部７１に備える。このバネ片７５があることで、カバープレート６０を軒天換気見切金物２０へ簡単・確実に取り付けることができる。すなわち、カバープレート６０を軒天換気見切金物２０と構造駆体（図示省略）の間に差し込む時には、係合部７２，７２が反軒天換気見切金物２０側へ押圧（バネ片７５が圧縮）され、差込を完了すると係合部７２，７２が軒天換気見切金物２０側へ付勢（バネ片７５が反発）して換気用開口部２５と係合する。係合部７２，７２はバネ片７５によって常に軒天換気見切金物２０側へ付勢されているので、換気用開口部２５との係合が解消することはない。以上により、軒天換気見切金物２０自体を取り外すことなく簡単に（ワンタッチで）カバープレート６０を取付施工することができる。なお、支持部材７０による支持は係止部７２の係合によるものなので、カバープレート６０を軒天換気見切金物２０の長手方向へスライドさせることが可能で、軒天換気見切金物２０へ取り付けたカバープレート６０の位置調整を可能とする。ここで、図５は、そのカバープレート６０を軒天換気見切金物２０に取り付けた状態を断面図で示した。
【００１３】
また、カバープレート６０の長手方向端部に起立する側面部６３及び支持部材７０に熱膨張材５０，５０，…を取り付ける。これによって、軒天換気見切金物２０の換気用開口部２５に対面するように熱膨張材５０を設けることができ、軒天換気見切金物２０の換気用開口部２５をその内側と外側の両面から塞ぐことができるため、炎や熱等を遮断する効果が高くなる。
【００１４】
図６及び図７は、本願発明の第３実施形態を示す説明図である。第３実施形態では、特に、熱膨張材を備えていない軒天換気見切金物に好適なカバープレートを提供する。
ここで、軒天換気見切金物２０については、第１実施形態のものと同一なので、その説明を省略する。
図６に示すように、この軒天換気見切金物２０には、断面略コ字形の支持部材８０，８０が取り付けられる。支持部材８０は、一対の起立部８１，８５を備える。起立部８１の中央先端には内側へ略９０度折曲した第１爪片８２を、同左右先端には外側に略９０度折曲した第１係止片８３，８３を備える。また、起立部８５の左右先端には内側へ略９０度折曲した第２爪片８６，８６，８６，８６を、同中央先端には外側へＬ字形に折曲した第２係止片８７を備える。この第１爪片８２を軒天換気見切金物２０の軒天差込部２１に形成される角部分２２に引っ掛けるとともに、第２爪片８６をスリット状に形成された換気用開口部２５へ差し込むことで、支持部材８０を軒天換気見切金物２０に取り付ける。
また、換気用開口部２５に対面する軒天換気見切金物２０の内側には、熱膨張材５０が取り付けられる。
【００１５】
次に、図７に軒天換気見切金物２０の外側に取り付ける（金属製の）カバープレート９０を示す。
当該カバープレート９０は、底部９１に段差９２を設けて換気用開口部９３を有する。この段差９２は、下方からこのカバープレート９０を見た場合、換気用開口部９３を隠す作用を有する。また、カバープレート９０の長手方向両端には一対の側面部９４，９７を備える。この側面部９４，９７は先端が略９０度折曲するとともに、その内側に熱膨張材５０を取り付ける。また、カバープレート９０の底部９１（換気用開口部９３を除く）にも、その内側に熱膨張材５０を取り付ける。
そして、このカバープレート９０は、支持部材８０の取り付けられた軒天換気見切金物２０に取り付けられる。
【００１６】
図８は、カバープレート９０の取付状態を示す断面図である。図示するように、カバープレート９０は、側面部９４の折曲する先端の部分が支持部材８０の第１係止片８３に引っ掛かるとともに、側面部９７の折曲する先端の部分が支持部材８０の第２係止片８７に引っ掛かることで、軒天換気見切金物２０に取り付けられる。従って、カバープレート９０は、支持部材８０に支持されるようにして軒天換気見切金物２０に取り付けられる。なお、支持部材８０による支持は第１係止片８３や第２係止片８７の引っ掛かりによるものなので、カバープレート９０を軒天換気見切金物２０の長手方向へスライドさせることが可能で、軒天換気見切金物２０へ取り付けたカバープレート９０の位置調整を可能とする。また、熱膨張材５０が軒天換気見切金物２０の換気用開口部２５に対面するように設けられていることで、軒天換気見切金物２０の換気用開口部２５をその内側と外側の両面から塞ぐとともに、換気用開口部２５以外の金属部分にも熱膨張材５０，５０が設けられているので、炎や熱等を遮断する効果が高くなる。
【産業上の利用可能性】
【００１７】
本願発明は、軒天換気見切金物の補助部材として広く利用できるものである。新設の軒天換気見切金物の他に、既設の軒天換気見切金物にも簡単に利用できる。
【図面の簡単な説明】
【００１８】
【図１】本願発明の第１実施形態を示す説明図（その１）。
【図２】本願発明の第１実施形態を示す説明図（その２）。
【図３】本願発明の第１実施形態を示す断面図。
【図４】本願発明の第２実施形態を示す説明図。
【図５】本願発明の第２実施形態を示す断面図。
【図６】本願発明の第３実施形態を示す説明図（その１）。
【図７】本願発明の第３実施形態を示す説明図（その２）。
【図８】本願発明の第３実施形態を示す断面図。
【図９】特許文献１に開示された従来技術を示す説明図。
【図１０】特許文献２に開示された従来技術を示す説明図。
【図１１】特許文献３に開示された従来技術を示す説明図。
【符号の説明】
【００１９】
＜第１実施形態＞
１０  軒裏天井
２０  軒天換気見切金物
２１  軒天差込部
２２  角部分
２５  換気用開口部
３０  支持部材
３１  起立部
３２  第１爪片
３３  突起片
３５  起立部
３６  第２爪片
３７  係止片
４０  カバープレート
４１  底部
４２  段差
４３  換気用開口部
４４  側面部
４５  先端
４７  側面部
４８  先端
５０  熱膨張材
＜第２実施形態＞弟１実施形態と共通するものについてはその符号をそのまま使用する。
６０  カバープレート
６１  底部
６２  換気用開口部
６３  側面部
７０  支持部材
７１  基部
７２  係合部
７３  係合溝
７５  バネ片
＜第３実施形態＞弟１実施形態と共通するものについてはその符号をそのまま使用する。
８０  支持部材
８１  起立部
８２  第１爪片
８３  第１係止片
８５  起立部
８６  第２爪片
８７  第２係止片
９０  カバープレート
９１  底部
９２  段差
９３  換気用開口部
９４  側面部
９７  側面部
【図１】
0005283416.tif 000002
【図２】
0005283416.tif 000003
【図３】
0005283416.tif 000004
【図４】
0005283416.tif 000005
【図５】
0005283416.tif 000006
【図６】
0005283416.tif 000007
【図７】
0005283416.tif 000008
【図８】
0005283416.tif 000009
【図９】
0005283416.tif 000010
【図１０】
0005283416.tif 000011
【図１１】
0005283416.tif 000012